(57)【要約】      （修正有）【課題】除細動器とともに使用するように構成された通信モジュールを提供する。【解決手段】通信モジュールは、通信モジュールに電力を供給するように構成された電力供給システムと、通信モジュールから除細動器に電力を供給するために、除細動器に接続するように構成された電源コネクタと、電力供給システムから電源コネクタへ電力を送るために、電力供給システムと電源コネクタとの間に接続された電源スイッチ２２と、除細動器と通信モジュールとの間で除細動器データを伝送するために、除細動器に接続するように構成されたデータコネクタと、通信モジュールから除細動器に電力を供給して除細動器と通信モジュールとの間で除細動器データの伝送を可能にすべく電源スイッチを制御するように構成されたプロセッサ２６とを備える。【選択図】図２
2019202133.tif 000002
【特許請求の範囲】
【請求項１】
除細動器とともに使用するように構成された通信モジュールであって、
前記通信モジュールに電力を供給するように構成された電力供給システムと、
前記通信モジュールから前記除細動器に電力を供給するために、前記除細動器に接続するように構成された電源コネクタと、
前記電力供給システムから前記電源コネクタへ電力を送るために、前記電力供給システムと前記電源コネクタとの間に接続された電源スイッチと、
前記除細動器と前記通信モジュールとの間で除細動器データを伝送するために、前記除細動器に接続するように構成されたデータコネクタと、
前記通信モジュールから前記除細動器に電力を供給して前記除細動器と前記通信モジュールとの間で除細動器データの伝送を可能にすべく、前記電源スイッチを制御するように構成されたプロセッサとを備えることを特徴とする通信モジュール。
【請求項２】
請求項１に記載の通信モジュールにおいて、
前記プロセッサが、前記通信モジュールから前記除細動器に電力を供給して前記除細動器から前記通信モジュールへの除細動器データの伝送を可能にすべく、前記電源スイッチを制御するように構成されていることを特徴とする通信モジュール。
【請求項３】
請求項１または２に記載の通信モジュールにおいて、
前記プロセッサが、前記通信モジュールから前記除細動器に電力を供給して、前記除細動器による除細動器データの取得を可能にすべく、前記電源スイッチを制御するように構成されていることを特徴とする通信モジュール。
【請求項４】
請求項３に記載の通信モジュールにおいて、
前記プロセッサが、前記通信モジュールから前記除細動器に電力を供給して、除細動器自己検査による除細動器データの取得を可能にすべく、前記電源スイッチを制御するように構成されていることを特徴とする通信モジュール。
【請求項５】
請求項４に記載の通信モジュールにおいて、
前記除細動器自己検査によって取得される除細動器データが、除細動器電力供給状態データ、除細動器電極パックの有効期限データの何れかを含むことを特徴とする通信モジュール。
【請求項６】
請求項１乃至５の何れか一項に記載の通信モジュールにおいて、
前記プロセッサが、前記通信モジュールから前記除細動器に電力を供給して前記通信モジュールから前記除細動器へのデータの伝送を可能にすべく、前記電源スイッチを制御するように構成されていることを特徴とする通信モジュール。
【請求項７】
請求項６に記載の通信モジュールにおいて、
前記プロセッサが、前記通信モジュールから前記除細動器に電力を供給して、前記通信モジュールから前記除細動器に伝送されたデータの使用を可能にすべく、前記電源スイッチを制御するように構成されていることを特徴とする通信モジュール。
【請求項８】
請求項１乃至７の何れか一項に記載の通信モジュールにおいて、
前記電源コネクタと前記データコネクタがともにインターフェースユニット内に設けられていることを特徴とする通信モジュール。
【請求項９】
請求項１乃至８の何れか一項に記載の通信モジュールにおいて、
前記電力供給システムが、１または複数のバッテリ、コンセントを使う電源、無線充電式電源のうちの何れかを含む電源を備えることを特徴とする通信モジュール。
【請求項１０】
請求項１乃至９の何れか一項に記載の通信モジュールにおいて、
前記電力供給システムが電力供給レギュレータを備え、前記電力供給レギュレータが、前記電源スイッチに第１の調整された電力供給を行い、前記プロセッサに第２の調整された電力供給を行うことを特徴とする通信モジュール。
【請求項１１】
請求項１乃至１０の何れか一項に記載の通信モジュールにおいて、
前記電力供給システムが、前記電力供給システムの電力レベルを検出して前記電力レベルを前記プロセッサに提供する電力供給状態検出器を備え、前記プロセッサが、前記電力供給システムの電力レベルが予め設定された閾値未満であるか否かを判定することを特徴とする通信モジュール。
【請求項１２】
請求項１乃至１１の何れか一項に記載の通信モジュールにおいて、
前記プロセッサに接続された送信器を備え、前記送信器が、除細動器データを受信して外部システムに送信するように構成されていることを特徴とする通信モジュール。
【請求項１３】
請求項１乃至１２の何れか一項に記載の通信モジュールにおいて、
前記プロセッサに接続された受信器を備え、前記受信器が、外部システムからデータを受信するように構成されていることを特徴とする通信モジュール。
【請求項１４】
請求項１乃至１３の何れか一項に記載の通信モジュールにおいて、
前記通信モジュールが、前記除細動器とは別個のものであり、前記除細動器に直接接続可能であることを特徴とする通信モジュール。
【請求項１５】
請求項１乃至１４の何れか一項に記載の通信モジュールと、除細動器とを備えることを特徴とする除細動システム。
【発明の詳細な説明】
【技術分野】
【０００１】
本発明は、除細動器とともに使用するための通信モジュールに関する。
【背景技術】
【０００２】
自動体外式除細動器（ＡＥＤ）などの除細動器は、１または複数のネットワークと有線または無線で通信する機能を含むことができ、それにより、例えば、ウェブサイトに接続してデータを取得したり、あるいは除細動器の動作を管理したりすることができる。そのような通信機能は、通常、除細動器内に組み込まれている。そのような通信機能を有する除細動器の使用において、除細動器の電力使用の管理は、心臓に係る事象が生じた場合に除細動器が十分な電力を確実に有することを保証するために重要である。
【発明の概要】
【０００３】
本発明の第１の態様によれば、除細動器とともに使用するように構成された通信モジュールが提供され、この通信モジュールが、
通信モジュールに電力を供給するように構成された電力供給システムと、
通信モジュールから除細動器に電力を供給するために、除細動器に接続するように適合された電源コネクタと、
電力供給システムから電源コネクタへ電力を送るために、電力供給システムと電源コネクタとの間に接続された電源スイッチと、
除細動器と通信モジュールとの間で除細動器データを伝送するために、除細動器に接続するように適合されたデータコネクタと、
通信モジュールから除細動器に電力を供給して、除細動器と通信モジュールとの間で除細動器データの伝送を可能にすべく、電源スイッチを制御するように構成されたプロセッサとを備える。
【０００４】
プロセッサは、通信モジュールのみから除細動器に電力を供給して除細動器と通信モジュールとの間の除細動器データの伝送を可能にすべく、電源スイッチを制御するように構成されるようにしてもよい。プロセッサは、通信モジュールから除細動器に電力を供給して、除細動器の電源に係合することなく除細動器と通信モジュールとの間の除細動器データの伝送を可能にすべく、電源スイッチを制御するように構成されるものであってもよい。このため、除細動器の電源は、心臓に係る事象が生じた場合に除細動器がショックを送達するのに十分な電力を有するように、通信モジュールへ又は通信モジュールからデータを伝送する際に使い果たされることはない。
【０００５】
プロセッサは、通信モジュールから除細動器に電力を供給して除細動器から通信モジュールへの除細動器データの伝送を可能にすべく、電源スイッチを制御するように構成されるようにしてもよい。
【０００６】
プロセッサは、通信モジュールから除細動器に電力を供給して除細動器による除細動器データの取得を可能にすべく、電源スイッチを制御するように構成されるようにしてもよい。
【０００７】
プロセッサは、通信モジュールから除細動器に電力を供給して、除細動器自己検査による除細動器データの取得を可能にすべく、電源スイッチを制御するように構成されるようにしてもよい。除細動器の自己検査は、毎日または毎週、あるいは他の任意の適切な間隔で実施することができる。除細動器自己検査によって取得された除細動器データは、除細動器電力供給状態データを含むことができる。除細動器自己検査によって取得された除細動器データは、除細動器電極パックの有効期限データを含むことができる。
【０００８】
プロセッサは、通信モジュールから除細動器に電力を供給して、除細動器による心臓事象データの取得を可能にすべく、電源スイッチを制御するように構成されるようにしてもよい。
【０００９】
除細動器データは、警報データ、例えば、除細動器の不正使用または破壊行為を示す警報データを含むことができる。
【００１０】
プロセッサは、通信モジュールから除細動器に電力を供給して通信モジュールから除細動器へのデータの伝送を可能にすべく、電源スイッチを制御するように構成されるようにしてもよい。除細動器に伝送されるデータは、除細動器のソフトウェア更新、心臓に係る事象中のフィードバックの何れかを含むことができる。フィードバックは、リアルタイムの音声案内を含むことができる。
【００１１】
プロセッサは、通信モジュールから除細動器に電力を供給して、通信モジュールから除細動器に伝送されたデータの使用を可能にすべく、電源スイッチを制御するように構成されるようにしてもよい。除細動器に伝送されるデータの使用は、除細動器のソフトウェアを更新することを含むことができる。
【００１２】
プロセッサは、プロセッサのソフトウェアに組み込まれた命令によって電源スイッチを制御するように構成されるようにしてもよい。プロセッサは、通信モジュールから除細動器に電力を供給すべく電源スイッチを作動させるように構成されるようにしてもよい。
【００１３】
電源コネクタおよびデータコネクタはともに、インターフェースユニット内に設けられるようにしてもよい。インターフェースユニットは、電源コネクタ用の複数のピン接続部を含むことができる。インターフェースユニットは、データコネクタ用の複数のピン接続部を含むことができる。インターフェースユニットは、電源コネクタ用の２つのピン接続部とデータコネクタ用の２つのピン接続部とを有するユニバーサルシリアルバスを含むことができる。
【００１４】
電力供給システムは電源を含むことができる。電源は１または複数のバッテリを含むことができる。バッテリは充電式であってもよい。電源は、コンセントを使う電源を含むことができる。コンセントを使う電源は、太陽光、水力、風力、波の何れかのような持続可能な供給源から供給されるものであってもよい。電源は、無線で充電可能な電源を含むことができる。
【００１５】
電力供給システムは、電源に接続された電力供給レギュレータを含むことができる。電力供給レギュレータは、電源スイッチに第１の調整された電力供給を行うことができる。電力供給レギュレータは、プロセッサに第２の調整された電力供給を行うことができる。
【００１６】
電力供給システムは、電源に接続された電力供給状態検出器を含むことができる。電力供給状態検出器は、１または複数の電力供給システム特性を検出し、１または複数の電力供給状態信号をプロセッサに提供することができる。電力供給状態検出器は、電源の電力レベルを検出して、検出した電源の電力レベルが予め設定された閾値未満であるときに、プロセッサに電力供給状態信号を提供することができる。電力供給状態検出器は、電源の電力レベルを検出し、その電力レベルをプロセッサに提供することができる。プロセッサは、電源の電力レベルが予め設定された閾値未満であるか否かを判定することができる。
【００１７】
通信モジュールは、プロセッサに接続された送信器であって、除細動器データを受信して外部システムに送信するように構成された送信器を備えることができる。通信モジュールは、プロセッサに接続された受信器であって、外部システムからデータを受信するように構成された受信器を含むことができる。送信器および受信器は、外部システムに無線で接続することができる。
【００１８】
通信モジュールは、外部システムへの接続に適した有線コネクタを含むことができる。通信モジュールは、有線コネクタと電源およびデータコネクタとの間に接続されたスイッチを含むことができる。スイッチは、外部システムから有線コネクタおよび電源コネクタを介して除細動器に電力を供給して、データコネクタおよび有線コネクタを介して除細動器と外部回路との間でデータを伝送することを可能にするために、起動されるものであってもよい。
【００１９】
外部システムはコンピューティングデバイスを含むことができる。外部システムは、コンピューティングデバイスのネットワークを含むことができる。外部システムは、通信モジュールを介して除細動器からのデータの抽出を可能にする専用のウェブサイトに接続することができる。外部システムは、通信モジュールを介して除細動器の管理を可能にする専用のウェブサイトに接続することができる。外部システムは、緊急医療プロバイダに接続することができ、この緊急医療プロバイダは、通信モジュールを介して、除細動器から心臓に係る事象データを受信して、除細動器にフィードバックを送信する。外部システムは、コミュニティ応答グループに接続することができる。外部システムは、除細動器の展開を制御するウェブサイトに接続することができる。
【００２０】
通信モジュールは起動スイッチを含むことができる。通信モジュールは、起動タイマを含むことができ、この起動タイマは、起動期間を計時して、起動期間の終了時に通信モジュールを自動的に起動する。起動期間は２４時間とすることができる。
【００２１】
通信モジュールは、モジュールのハウジングの外部に設けられた１または複数のモジュール状態インジケータを含むことができる。その状態インジケータまたは各状態インジケータは発光ダイオードを含むことができる。
【００２２】
通信モジュールは、スピーカなどのオーディオデバイスを含むことができる。オーディオデバイスは、音声警報を発するために使用されるものであってもよい。オーディオデバイスは、除細動器のユーザに音声フィードバックを伝えるために使用されるものであってもよい。
【００２３】
通信モジュールは、モジュールの周りの周囲温度を測定するように構成された温度センサを含むことができる。
【００２４】
通信モジュールは、除細動器とは別個のものであり、除細動器に直接接続することができる。通信モジュールは、除細動器に組込可能なものであってもよい。通信モジュールは、除細動器の更新を必要とせずに、通信技術の展開時に更新されるものであってもよい。
【００２５】
通信モジュールから除細動器に電力を供給する際に、モジュールは、除細動器を起動させる、すなわち除細動器をオンにするが、除細動器の電源を作動させることはない。このため、データの伝送等は除細動器の電源からの電力を一切使用することはない。
【００２６】
本発明の第２の態様によれば、除細動システムが提供され、この除細動システムが、
本発明の第１の態様に係る通信モジュールと、
除細動器とを備える。
【図面の簡単な説明】
【００２７】
以下に、添付図面を参照して、本発明をほんの一例として説明することとする。
【図１】図１は、本発明の第１の態様に係る通信モジュールの斜視図である。
【図２】図２は、図１の通信モジュールの内部構成要素の概略図である。
【発明を実施するための形態】
【００２８】
図１は通信モジュール２を示している。これは、除細動器（図示省略）とは別個のもので、除細動器と直接接続可能であり、かつ除細動器に対して組込可能であってもよい。
【００２９】
図１を参照すると、通信モジュール２は、図２に示すモジュールの構成要素を収容するハウジング４を備える。通信モジュール２は、除細動器に接続するように構成された電源コネクタと、除細動器に接続するように構成されたデータコネクタとを含む。この実施形態では、電源コネクタとデータコネクタがともにインターフェースユニット６内に設けられ、このインターフェースユニットが、電源コネクタ用の２つのピン接続部８，１０と、データコネクタ用の２つのピン接続部１２，１４とを有するユニバーサルシリアルバスを備える。
【００３０】
通信モジュール２は、インターフェースユニット６内の電源コネクタに接続された電源スイッチ２２を備える。通信モジュール２は、電源スイッチ２２に接続されたプロセッサ２６を備え、このプロセッサが、通信モジュール２から除細動器に電力を供給すべく電源スイッチ２２を制御するように構成されている。
【００３１】
通信モジュール２は、電源１６を有する電力供給システムを備え、この実施形態では、電源が４つのバッテリを含む。通信モジュール２のハウジング４は、第１および第２の凹部（図示省略）を提供する。２つのバッテリが、各凹部内に配置されて、凹部カバー１８，２０により保護されている。
【００３２】
電力供給システムは、電源１６に接続された電力供給レギュレータ２４をさらに備える。電力供給レギュレータ２４は、電源スイッチ２２に約５Ｖの第１の調整された電力供給を行い、必要に応じて、モジュールの構成要素に約３Ｖの第２の調整された電力供給を行う。
【００３３】
電力供給システムは、電源１６に接続された電力供給状態検出器２８をさらに備える。電力供給状態検出器２８は、電源１６の電力レベルを検出して、その電力レベルをプロセッサ２６に提供する。プロセッサ２６は、電源１６の電力レベルが予め設定された閾値未満であるか否かを判定し、すなわち、電源１６の電力レベルが低過ぎるか否かを判定する。
【００３４】
通信モジュール２は、プロセッサ２６に接続された送信器／受信器３０を備える。この実施形態では、送信器／受信器３０がチップ上にプロセッサ２６を備える。送信器／受信器３０は、外部システムと無線接続されている。
【００３５】
通信モジュール２は、コンピューティングデバイス（図示省略）を含む外部システムに接続するように構成された有線コネクタ３２と、有線コネクタ３２とインタフェースユニット６内の電力およびデータコネクタとの間に接続されたスイッチ３４とをさらに含む。有線コネクタ３２をコンピューティングデバイスに接続する場合、スイッチ３４を作動させて、コンピューティングデバイスから有線コネクタ３２およびインターフェースユニット６の電源コネクタを介して除細動器に電力を供給することができる。これにより、インターフェースユニット６のデータコネクタ、スイッチ３４および有線コネクタ３２を介して、除細動器と外部システムのコンピューティングデバイスとの間でデータを伝えることが可能となっている。
【００３６】
通信モジュール２は起動スイッチ３６を備える。通信モジュール２はさらに起動タイマ３８を備え、この起動タイマが、起動期間を計時し、起動期間の終了時に通信モジュール２を自動的に起動する。起動期間は、２４時間とすることができる。
【００３７】
通信モジュール２は、モジュール２のハウジング４の外部に設けられた状態インジケータ４０を含む。状態インジケータ４０は発光ダイオードを含む。通信モジュール２は、モジュール２の周りの周囲温度を測定するように構成された温度センサ４２を備える。
【００３８】
動作中、インターフェースユニット６の電力ピン接続部８，１０およびデータピン接続部１２，１４が除細動器に設けられた対応する接続部と接続されるように、通信モジュール２が除細動器に取り付けられる。起動タイマ３８は、起動期間の終了時に通信モジュール２を自動的に起動させるか、あるいは、起動スイッチ３６を使用して通信モジュール２を起動させることができる。状態インジケータＬＥＤ４０は、通信モジュール２が起動していることを示すために点灯する。また、状態インジケータＬＥＤ４０は、障害、送信器のアクティブ、受信器のアクティブなどの更なる状態条件を示すために使用することができる。
【００３９】
電力供給レギュレータ２４は、電源１６から電力を受け取り、これを調整して、電源スイッチ２２に約５Ｖの第１の調整された電力供給を行い、必要に応じて、プロセッサ２６を含む通信モジュール２の他の構成要素に約３Ｖの第２の調整された電力供給を行う。電源１６に接続された電力供給状態検出器２８は、電源１６の電力レベルを検出し、その電力レベルをプロセッサ２６に提供する。プロセッサ２６は、電源１６の電力レベルが予め設定された閾値未満であるか否かを判定する。プロセッサ２６は、除細動器の動作を制御するウェブサイトなどの外部システムに送信するために、電力データのレベルを送信器に伝える。また、プロセッサ２６は、低電力状態を示すように状態インジケータ４０を制御することもできる。
【００４０】
温度センサ４２は、通信モジュール２の周りの周囲温度を測定し、温度測定値をプロセッサ２６に送信する。これにより、モジュール２の保管状態を監視することが可能になる。
【００４１】
電源スイッチ２２に接続されたプロセッサ２６は、プロセッサのソフトウェアに組み込まれた命令によって、通信モジュール２から除細動器に電力を供給すべく電源スイッチ２２を制御するように構成されている。プロセッサ２６は、電源スイッチ２２を作動させて、電源１６からインターフェースユニット６の電源コネクタピン接続部８，１０へ、さらには除細動器への電力の送信を可能にする。通信モジュール２からの電力が除細動器に送信されると、除細動器は除細動器データを取得し、除細動器から通信モジュールに除細動器データを伝送し、通信モジュールから除細動器にデータを伝送し、モジュールから伝送されたデータを使用することが可能になる。
【００４２】
一実施例では、通信モジュール２からの電力が除細動器に送信されるときに、除細動器が、除細動器自己検査を実行することによって除細動器データを取得することが可能になる。除細動器自己検査によって取得した除細動器データは、除細動器電力供給状態データおよび除細動器電極パック有効期限データを含むことができる。除細動器データは、インターフェースユニット６のデータピン接続部１２，１４を介して除細動器から通信モジュール２に伝送されて、プロセッサ２６に渡される。プロセッサ２６に接続された送信器／受信器３０は、除細動器データを受信して、そのデータを外部システムに無線で送信する。
【００４３】
更なる実施例では、通信モジュール２からの電力が除細動器に送信されるときに、除細動器が、通信モジュール２からソフトウェア更新などのデータを受信し、そのデータを使用して、例えば除細動器のソフトウェアを更新することができる。通信モジュール２から除細動器に送信されたデータは、先ず、送信器／受信器３０によって外部ソースから受信されて、プロセッサ２６に送信される。
【図１】
2019202133.tif 000003
【図２】
2019202133.tif 000004
【外国語明細書】
2019202133000001.pdf